(57)【特許請求の範囲】
【請求項１】
一画像内に部分的に設定される前記一画像の水平方向に延在する帯状の注目領域内の空間周波数よりも、前記一画像内の前記注目領域以外の領域の空間周波数が低くする画像処理を実行して、前記一画像にミニチュア効果を付与する処理部を備えた画像処理装置であって、
前記一画像内において、前記注目領域の、前記水平方向に垂直な方向における幅および位置を前記一画像から取得した情報に基づいて決定する決定部を有し、
前記処理部は、前記決定部で決定された前記注目領域に基づいて、前記一画像に前記画像処理を実行することを特徴とする画像処理装置。
【請求項２】
前記決定部は、
前記一画像の撮像情報から獲得した被写体までの距離に基づいて、前記距離が短いほど、前記注目領域の前記幅の初期値を狭くする幅初期値生成部を更に備える、ことを特徴とする請求項１に記載の画像処理装置。
【請求項３】
前記決定部は、
前記一画像において空間周波数の変化が急峻な領域に、前記注目領域の前記位置の初期値を設定する位置初期値生成部を更に備える、ことを特徴とする請求項１または請求項２に記載の画像処理装置。
【請求項４】
前記一画像内において、前記注目領域の、前記水平方向に垂直な方向における幅および位置の少なくとも一方について指示を受け付ける入力部を更に有し、
前記決定部は、前記入力部の指示に基づいて、前記注目領域の、前記水平方向に垂直な方向における幅および位置の少なくとも一方を任意に決定する、ことを特徴とする請求項１〜３の何れか一項に記載の画像処理装置。
【請求項５】
前記決定部は、
前記一画像の撮像情報から獲得した前記一画像の傾きを示す情報に基づいて、前記注目領域の傾きを決定する傾き決定部を更に備える、ことを特徴とする請求項１〜４のいずれか一項に記載の画像処理装置。
【請求項６】
前記傾きを変更する指示を受け付ける傾き入力部を更に有することを特徴とする請求項５に記載の画像処理装置。
【請求項７】
前記処理部は、
前記一画像の撮像情報から獲得した撮像光学系の焦点距離に基づいて、前記焦点距離が短いほど、前記処理部における空間周波数の低下量を大きくする処理量決定部を更に備える、ことを特徴とする請求項１〜６のいずれか一項に記載の画像処理装置。
【請求項８】
前記処理部は、
前記一画像の撮像情報から獲得した撮像光学系の被写界深度に基づいて、前記被写界深度が浅いほど、前記処理部における空間周波数の低下量をより大きくする処理量決定部を更に備える、ことを特徴とする請求項１〜７のいずれか一項に記載の画像処理装置。
【請求項９】
前記処理部における前記空間周波数の低下量を変更する指示を受け付ける入力部を更に有することを特徴とする請求項１〜８のいずれか一項に記載の画像処理装置。
【発明の詳細な説明】
【技術分野】
【０００１】
本発明は、撮像装置に関する。
【背景技術】
【０００２】
撮像後の画像に対して画像処理をする撮像装置がある（特許文献１を参照）。
【先行技術文献】
【特許文献】
【０００３】
【特許文献１】特開２００６−０６７５２１号公報
【発明の概要】
【発明が解決しようとする課題】
【０００４】
撮像装置は、撮像する場合の操作性を考慮して設計されているので、画像処理を撮像装置上で実行する場合の操作に使用できるユーザインターフェースは乏しい。このため、画像にミニチュア効果を与える等の画像処理を実行する場合に、ユーザがパラメータの値を変更する手立てが撮像装置に用意されていない場合がある。
【課題を解決するための手段】
【０００５】
そこで、上記課題を解決すべく、本発明の一態様として、元画像に含まれる帯状の注目領域（５８０）について、元画像における注目領域の幅および位置に対する指示を受け付ける入力部（３９０）と、指示された注目領域を元画像から除いた背景領域（５９０）の空間周波数を、注目領域の空間周波数よりも低くする画像処理をする処理部（４２０）とを備える撮像装置が提供される。
【図面の簡単な説明】
【０００６】
【図１】撮像装置１００を正面側から見た斜視図である。
【図２】撮像装置１００の背面図である。
【図３】撮像装置１００内部構造を示す模式図である。
【図４】主制御部３００の構造を示すブロック図である。
【図５】ＡＳＩＣ４００の構造と機能を示すブロック図である。
【図６】画像処理が選択される場合の、表示画像５０１の一例を示す図である。
【図７】画像処理が選択された場合の表示画像５０２の一例を示す図である。
【図８】画像処理における画像データの流れを示すフローチャートである。
【図９】マスクパターン６０１の一例を示す図である。
【図１０】画像処理における操作手順を示すフローチャートである。
【図１１】位置が変更された注目領域５８０を含む表示画像５０３を示す図である。
【図１２】表示画像５０３対応するマスクパターン６０２を示す図である。
【図１３】位置が変更された注目領域５８０を含む表示画像５０４を示す図である。
【図１４】表示画像５０４に対応するマスクパターン６０３を示す図である。
【図１５】向きが異なる表示画像５０５を示す図である。
【図１６】表示画像５０５に対応するマスクパターン６０４を示す図である。
【図１７】傾きが異なる表示画像５０６を示す図である。
【図１８】表示画像５０６に対応するマスクパターン６０５を示す図である。
【図１９】幅が変更された注目領域５８０を含む表示画像５０７を示す図である。
【図２０】表示画像５０７に対応するマスクパターン６０６を示す図である。
【図２１】他のマスクパターン６０７を示す図である。
【図２２】幅が変更された注目領域５８０を含む表示画像５０８を示す図である。
【図２３】表示画像５０８に対応するマスクパターン６０８を示す図である。
【図２４】他のマスクパターン６０９を示す図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像システム１０１を正面側からみた斜視図である。撮像システム１０１は、撮像装置１００およびレンズユニット２００を備える。図１の撮像システム１０１において、レンズユニット２００は撮像装置１００からユーザにより着脱可能であるが、これに限られず、レンズユニット２００が撮像装置１００から取り外せない撮像システム１０１であってもよい。
【０００９】
撮像装置１００には、電源スイッチ１６１、レリーズスイッチ１９１、ダイヤルスイッチ１８０等のスイッチが設けられる。電源スイッチ１６１は撮像装置１００の電源投入および遮断の操作に用いられ、レリーズスイッチ１９１は撮像のタイミングを指示するのに用いられる。ダイヤルスイッチ１８０は、撮像装置１００の各種機能および撮像条件の複数の選択肢を切り換えるのに用いられる。
【００１０】
図２は、撮像装置１００の背面図である。撮像装置１００の背面には、カラー表示ができる主表示部１７２が配される。主表示部１７２は、高い解像度と広い表示面積を有して、撮影された画像を再生する場合に使用される。
【００１１】
また、主表示部１７２は、撮像装置１００の動作条件等を設定する場合にも、ユーザに対するインターフェースの一部として用いられる。更に、後述する画像処理においても、ユーザインターフェースとして使用される。
【００１２】
撮像装置１００の背面には、十字キー１９３が配される。十字キー１９３は、上下左右に配された４つのスイッチを少なくとも含む。
【００１３】
また更に、撮像装置の背面においては、撮像モード、再生モード、設定モード等の撮像装置１００の動作モードの設定に応じて、主表示部１７２の周囲に配された押しボタンスイッチに割り当てられる機能が変化する。後述する画像処理を実行する動作モードでは、ＯＫボタン１９５、縮小表示ボタン１９７、再生ボタン１９９および十字キー１９３が、操作ボタンとして使用される。
【００１４】
図３は、撮像装置１００の内部構造を示す模式図である。撮像装置１００の前面には、マウント１３０にレンズユニット２００が装着されて、撮像システム１０１を形成する。
【００１５】
撮像装置１００は、主鏡２４０、ペンタプリズム２７０、接眼光学系２９０を含む光学系と、主制御部３００を含む制御系とが収容される。光学系において、主鏡２４０は、入射光の光路上に傾斜して配置される待機位置と、入射光を避けて上昇する撮影位置（図中に点線で示す）との間を移動する。
【００１６】
待機位置にある主鏡２４０は、入射光の大半を、上方に配置されたフォーカシングスクリーン２７２に導く。フォーカシングスクリーン２７２は、レンズユニット２００の撮像光学系２３０の合焦位置に配置され、撮像光学系２３０により形成された画像を結像させる。
【００１７】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００１８】
ペンタプリズム２７０および接眼光学系２９０の間には、ファインダＬＣＤ２９４に形成された表示画像を、フォーカシングスクリーン２７２の映像に重畳させるハーフミラー２９２が配置される。これにより、接眼光学系２９０の出射端においては、フォーカシングスクリーン２７２の映像と、ファインダＬＣＤ２９４の映像とを併せて見ることができる。なお、ファインダＬＣＤ２９４には、撮像システム１０１の撮影条件、設定条件等の情報が表示される。
【００１９】
また、ペンタプリズム２７０の出射光の一部は、測光部３３０に導かれる。測光部３３０は、入射光の強度およびその分布等を測定して、撮影条件を決定する場合に測定結果を参照させる。測光部３３０は、後述する主制御部３００に含まれる。
【００２０】
一方、入射光の入射面に対する主鏡２４０の裏面には、副鏡２４２が配置される。副鏡２４２は、主鏡２４０の一部を透過した入射光を、下方に配置された位相差検出型焦点検出部３１０に導く。位相差検出型焦点検出部３１０は、後述する主制御部３００に含まれ、主鏡２４０が待機位置にある場合に、撮像光学系２３０の焦点が被写体に合う位置を検出する。なお、主鏡２４０が撮影位置に移動した場合は、副鏡２４２も入射光の光路から退避する。
【００２１】
レンズユニット２００からの入射光に対して主鏡２４０の後方には、シャッタ２５０、光学フィルタ２８２およびイメージセンサ２８０が光軸Ｘに沿って配置される。シャッタ２５０がレリーズされる場合は、その直前に主鏡２４０が撮影位置に移動するので、入射光は直進してイメージセンサ２８０に入射される。これにより、入射光の形成する画像が、イメージセンサ２８０において電気信号に変換される。
【００２２】
主制御部３００は、上記のような種々の動作を総合的に制御する。また、主制御部３００は、レンズユニット２００と信号を交換して、絞り部１６２の開閉等も制御する。更に、主制御部３００は、露出の自動化、シーンモードの実行、ブラケット撮影の実行等にも寄与する。
【００２３】
更に、主制御部３００は、撮像装置１００の動作モードとして、後述する画像処理が指示された場合に、画像処理を実行する。主制御部３００の詳細な構造については、図４を参照して後述する。
【００２４】
レンズユニット２００は、撮像装置１００のマウント１３０に結合されたレンズ鏡筒２１０と、レンズ鏡筒２１０に収容された絞り装置２２０および撮像光学系２３０とを含む。絞り装置２２０は、撮像装置１００からの指示に応じて開閉して、撮像光学系２３０の被写界深度を変化させる。
【００２５】
撮像光学系２３０は、複数のレンズ群２３１、２３２、２３３を含む。レンズ群２３１、２３２、２３３の一部を光軸Ｘの方向に移動させることにより、撮像光学系の焦点位置が変化するので、被写体に焦点を合わせることができる。また、レンズ群２３１、２３２、２３３の一部または全部を移動させることにより、撮像光学系２３０の焦点距離を変えて撮像倍率を変化させる。
【００２６】
なお、レンズユニット２００は、図示していない接続端子を介して、撮像装置１００に対して電気的にも結合される。これにより、レンズユニット２００は、撮像装置１００から電力を供給される。また、撮像に伴ってレンズユニット２００が操作された場合に、焦点距離、被写体深度等の撮像情報を、撮像装置１００の主制御部３００に電気信号として伝える。
【００２７】
図４は、主制御部３００の構造を示すブロック図である。主制御部３００は、既に説明した位相差検出型焦点検出部３１０および測光部３３０の他に、傾き検出部３２０、レンズユニット通信回路３５０、プロセッサ３６０、主記憶回路３８０、入力受付部３９０およびＡＳＩＣ４００を有する。また、撮像装置１００に装着された不揮発性記憶媒体３８２も、主制御部３００の制御下にある。
【００２８】
傾き検出部３２０は、加速センサ、ジャイロセンサ等を用いて、重力方向に対する撮像装置１００の姿勢を検出する。これにより、撮像した画像が、横長の画像となる横位置で撮影されたか、縦長の画像となる縦位置で撮影されたかを検出して記録する。また、何れかの位置で撮影されたものの、撮像装置１００が水平または垂直に対して傾いていた場合に、傾きの大きさをも検出する。検出結果は、撮像情報の一部として、プロセッサ３６０に参照される。また、傾き情報は、撮像情報の一部として撮影画像に付随して記録される（画像ファイルに含まれてもよい）。
【００２９】
レンズ通信回路３５０は、レンズユニット２００との通信を司り、位相差検出型焦点検出部３１０の算出結果に応じてレンズユニット２００に駆動信号を送信する。また、レンズユニット２００が操作された場合に、撮像倍率等の撮像条件に関する情報を受信する。
【００３０】
入力受付部３９０は、外部からの指示を受け付ける。ここでいう指示は、例えば、後述する画像処理における、注目領域の位置、注目領域の幅、背景領域における空間周波数の低下量の分布等の指示も含む。入力受付部３９０に受け付けられた指示は、プロセッサ３６０および主記憶回路３８０を介して、例えば、ＡＳＩＣ４００にも転送される。
【００３１】
電源スイッチ１６１が投入された状態で、レリーズスイッチ１９１が半押しされると、測光部３３０は被写体の測光を開始する。また、位相差検出型焦点検出部３１０は、撮像光学系２３０を合焦させるべくレンズユニット２００を駆動する条件を算出する。また、タイミング発生器３７４によりアナログ信号処理回路３７６およびアナログ／デジタル変換器３７８が同期される。
【００３２】
レリーズスイッチ１９１が半押しから更に深く押し込まれると、レンズユニット２００が駆動されて、撮像光学系２３０を合焦させる。また、測光部３３０の測定結果を参照して設定された撮像条件で絞り装置２２０が絞り込まれる。更に、シャッタ２５０が開放されて、イメージセンサ２８０が露光される。
【００３３】
例えばＣＣＤであるイメージセンサ２８０は、入射光に応じた電荷を蓄積する。更に、タイミング発生器３７４に同期して垂直駆動回路３７２に駆動されたイメージセンサ２８０は蓄積された電荷を出力する。
【００３４】
アナログ信号処理回路３７６は、ＯＢクランプ回路、自動利得制御回路、二重相関サンプリング回路等を含み、アナログ画像信号の黒レベル再生、波形整形、雑音除去等の処理をした後に出力する。出力されたアナログ画像信号は、アナログ／デジタル変換器３７８においてデジタル画像信号に変換される。
【００３５】
デジタル画像信号は、バッファ４１０に格納され、ＡＳＩＣ４００により後述する画像処理を受ける。ＡＳＩＣ４００における画像処理については後述する。
【００３６】
なお、主制御部３００は、位相差検出型焦点検出部３１０の他に、イメージセンサ２８０から得られた画像から空間周波数のコントラストを検出して焦点を検出する、コントラスト検出型焦点検出部３０９を有する。これにより、イメージセンサ２８０から得られた画像を主表示部１７２で参照しつつ撮像することもできる。
【００３７】
図５は、ＡＳＩＣ４００の構造と機能を示すブロック図である。ＡＳＩＣ４００は、撮像装置１００の撮像に伴う画像処理と、撮像により得られた画像に対して、撮像後の画像処理とを実行する。
【００３８】
ＡＳＩＣ４００は、作業領域となるバッファ４１０から入力画像４１１を獲得して処理する。バッファ４１０は、アナログ／デジタル変換器３７８、プロセッサ３６０、主表示部１７２に接続される。バッファ４１０は、後述する画像後処理においても作業領域となる。
【００３９】
また、ＡＳＩＣ４００は、バッファ４１０に対してアクセス可能な画像処理部４２０、圧縮モジュール４３０、書込／読出モジュール４４０、αブレンドモジュール４５０およびローパスモジュール４６０を有する。書込／読出モジュール４４０は、主記憶回路３８０に対するデータの入出力の他に、ＡＳＩＣ４００の外部に配された不揮発性記憶媒体３８２への情報の読み書きも担う。更に、ＡＳＩＣ４００は、画像処理部４２０に対する入力を有する位置初期値生成部４７０、幅初期値生成部４８０および低下量初期値生成部４９０を有する。
【００４０】
アナログ／デジタル変換器３７８において生成されたデジタル画像信号はバッファ４１０に入力画像４１１として格納される。画像処理部４２０は、入力画像４１１から抽出したホワイトバランス調整値を参照して、ホワイトバランス等を調整した処理画像４１２として、再びバッファ４１０に格納される。
【００４１】
続いて、処理画像４１２は、圧縮モジュール４３０により圧縮される。圧縮モジュール４３０により、例えば、ＪＰＥＧ形式でフォーマットされた圧縮画像４１３は、再びバッファ４１０に格納される。
【００４２】
また、圧縮画像４１３からは、主表示部１７２に表示される表示用画像が生成され、主表示部１７２に表示される。更に、圧縮画像４１３は、書込／読出モジュール４４０により、主記憶回路３８０を経由して、フラッシュメモリカード等の不揮発性記憶媒体３８２に記録される。
【００４３】
なお、撮像装置１００の設定によっては、アナログ／デジタル変換器３７８からバッファ４１０に転送されたデジタル画像信号を、画像処理をすることなく、ＲＡＷファイルとして不揮発性記憶媒体３８２に保存する場合もある。更に、ＲＡＷファイルを圧縮したものが保存される場合、ＲＡＷファイルと圧縮画像とが併せて保存される場合等がある。
【００４４】
ＡＳＩＣ４００は、上記のような撮像画像に対する画像処理の他に、不揮発性記憶媒体３８２から読み出した対象画像４１４に対しても画像処理を実行する。このような画像処理を実行する場合は、入力受付部３９０が受け付けた画像処理の指示が、ＡＳＩＣ４００に転送される。以下、対象画像４１４を元画像とした画像処理について説明する。
【００４５】
図６は、ＡＳＩＣ４００に実行させる画像処理の内容を指定する場合に、主表示部１７２に表示される表示画像５０１の一例を示す。表示画像５０１は、選択肢として、スモールピクチャー５１１、画像合成５１２、ＲＡＷ現像５１３、簡単レタッチ５１４、ミニチュア効果５１５を並べて表示する。
【００４６】
この表示画像５０１に対して、例えば、十字キー１９３の上下方向を指示する領域を押すことにより、表示画像５０１のハイライト枠５１６を移動させ、選択する画像処理を指定できる。図示の例では、ミニチュア効果５１５が、ハイライト枠５１６に包囲されている。更に、図示の状態でＯＫボタン１９５を押すことにより、画像処理内容を確定することができる。
【００４７】
なお、主表示部１７２の周縁部には、操作できるボタン類と、その機能がガイド５２０として表示される。これにより、次の操作が案内されるので、操作に不慣れなユーザも操作を迷うことが防止される。
【００４８】
図７は、図６に示した表示画像で画像処理内容がミニチュア効果５１５に確定された場合に、主表示部１７２に表示される表示画像５０２を示す。表示画像５０２は、木および人を含む対象画像４１４を表示すると共に、水平に長い帯状の注目領域５８０を包囲した領域指定枠５８２を画像に重ねて表示している。
【００４９】
なお、ミニチュア効果は、水平な帯状の注目領域５８０に対して、それ以外の領域である背景領域５９０の画像の空間周波数を低下させることにより、画像が恰もミニチュア模型を撮影したかのように見せる画像処理である。このため、ミニチュア効果が得られる画像処理では、注目領域５８０の位置および広さと、背景領域５９０のぼけ具合を適切に指定することにより、より高い効果が得られる。
【００５０】
なお、ミニチュア効果を得る画像処理の指定が入力されて、図７に示した表示画像５０１が表示される場合、注目領域５８０の位置、幅および処理の強さについて、それぞれの初期値が、位置初期値生成部４７０、幅初期値生成部４８０および低下量初期値生成部４９０から画像処理部４２０に与えられる。これにより、ＡＳＩＣ４００は、図７に示した領域指定枠５８２を含む画像を生成することができる。
【００５１】
図８は、背景領域５９０の空間周波数を低くする場合に、ＡＳＩＣ４００が実行する処理を示すフローチャートである。図示のように、対象画像４１４の画像信号が入力されると（Ｓ１０１）、ローパスモジュール４６０により、対象画像（原画像）４１４の画像信号に対するローパスフィルタ処理が実行される（Ｓ１０２）。
【００５２】
ローパスフィルタ処理を受けた対象画像４１４の画像信号（以降ではローパス処理後信号と称す）は空間周波数が低下するので、撮像装置１００において焦点がずれたまま撮像された画像のようなぼけが生じる。また、画像処理部４２０は、上記ローパスフィルタ処理を受けた画像を、元の対象画像とブレンドする場合に、領域指定枠５８２が指定した注目領域５８０をマスクするマスクパターン６０１を生成する（Ｓ１０３）。
【００５３】
図９は、生成されるマスクパターン６０１の一例を示す図である。図中、最も黒い部分は、後述するαブレンド処理工程で行われる、Ｓ１０２で生成されたローパス処理後信号に対する加重平均割合が０％となるエリアを示す。黒さの度合いは、ローパス処理後信号に対する加重平均される割合（加重平均の重みに相当）を示すものであり、黒さが濃くなるに応じてその割合（重み）は低下する（逆に図９において、マスクパターンが白く（透明に）なるエリアほど、ローパス処理後信号が加重平均される際の割合が高くなる（重みが重くなる））。図示のように、マスクパターン６０１は、画像の高さ方向の中央付近をマスクし、画像の高さ（上下）方向に沿って、周辺（上端又は下端）に近づくにつれてマスクパターンの透過率（白さ）が高くなっている。なお、参考までに、マスクパターン６０１の右側に、マスクパターン６０１の透過率のプロファイルを示す。
【００５４】
再び図８を参照すると、αブレンドモジュール４５０は、マスクパターン６０１に従って、当初の対象画像４１４とローパスフィルタ処理した画像とをブレンドする（Ｓ１０４）。
【００５５】
ここで、αブレンドモジュール４５０の行う処理について詳述する。αブレンドモジュール４５０は、対象画像４１４の原画像と、原画像４１４に対してローパスフィルタリング処理を施したローパスフィルタ処理画像とを、各画素ごとに（画素単位で）、マスクパターン６０１で設定された割合で加重平均（画素混合）処理する。
【００５６】
例えば、図９に示すマスクパターンに基づいて加重平均（画素混合）処理する場合を説明すると、この図９のマスクパターンでは、中央部の画素に関しては、原画像４１４の信号（以後、「原画信号」と称す）を１００％とし且つステップＳ１０２で生成されたローパス処理後信号を０％として、互いの画像信号間の対応する位置の画素の信号を加重平均（混合）する。反対に図９のマスクパターンでは、周辺部（上下端）に近づくほど透過率（白さ）が増しており、周辺部では先ほどとは逆に、加重平均する際の原画信号の重みを軽くしローパス処理後信号の重みを重くすることになる。
【００５７】
これにより、注目領域５８０の空間周波数の変化を少なくしつつ、背景（周辺）領域５９０はローパスフィルタ処理の影響を強くなった、ミニチュア効果の施された画像が生成される。
【００５８】
図１０は、画像処理全体の処理の流れを示すフローチャートである。図示のように、以下に説明する撮像装置１００の操作手順では、まず、注目領域５８０の位置を指定する指示が入力される（Ｓ２０１）。注目領域５８０の場所は、例えば、注目領域５８０の上辺の、画像における高さ方向の位置を決定することにより指定される。また、後述するように、注目領域５８０に傾きが求められる場合は、それが位置指定の一部として指定される（Ｓ２０２）。
【００５９】
次に、注目領域５８０の長手方向に直交する幅を指定する指示が入力される（Ｓ２０３）。これにより、注目領域５８０の広さが指定される。続いて、ミニチュア効果の強さとして背景（周辺）領域に対する処理の強さ（ローパスフィルタのローパス度合い）が指定される（Ｓ２０４）。画像処理の条件がすべて入力された場合、撮像装置１００はミニチュア効果が得られる画像処理を開始する。
【００６０】
図１１は、注目領域５８０を指定する領域指定枠５８２を下方に移動させる操作を示す図である。図１１には、図７に示した表示画像５０２と比較した場合に、領域指定枠５８２の位置が低くなった表示画像５０３が表示される。
【００６１】
ユーザは、ガイド５２１を参照して、領域指定枠５８２を下方に移動させる操作が、十字キー１９３の下向きの領域を押すことであることを知る。これにより、ユーザが十字キー１９３の当該領域を押すと、領域指定枠５８２は徐々に移動し、十字キー１９３を離した時点で停止する。しかしながら、再び十字キー１９３を押すと移動する。最終的に、領域指定枠５８２の位置は、ＯＫボタン１９５を押すことにより保存され、確定される。
【００６２】
ＯＫボタン１９５を押す前にガイド５２２に従ってＯＫボタン１９５を押すことにより、そのときに表示されている領域指定枠５８２の指定に従って対象画像４１４にミニチュア効果を掛けた場合の画像をプレビューできる。これにより、領域指定枠５８２の位置を確定させる前に、その位置で得られる効果を確認できる。
【００６３】
図１２は、図１１に示した表示画像５０３に対応して生成されたマスクパターン６０２を示す図である。図１２のマスクパターン６０２の濃い領域は下方に寄っている。これにより、図９に示したマスクパターン６０１と比較した場合に、より低い領域がマスクされる。
【００６４】
図１３は、注目領域５８０を指定する領域指定枠５８２を上方に移動させる操作を示す図である。図７に示した表示画像５０２と比較した場合に、図１３には、領域指定枠５８２の位置が高くなった表示画像５０４が表示される。
【００６５】
ユーザは、ガイド５２３を参照して、領域指定枠５８２を上方に移動させる操作が、十字キー１９３の上向きの領域を押すことであることを知る。これにより、ユーザが十字キー１９３の当該領域を押すと、領域指定枠５８２は上方に移動し、十字キー１９３を離した時点で停止する。ユーザが再び十字キー１９３を押すと領域指定枠５８２は上昇する。最終的に、領域指定枠５８２の位置は、ＯＫボタン１９５を押すことにより保存され、確定される。
【００６６】
図１４は、図１３に示した表示画像５０３による指定に対応して生成されたマスクパターン６０３を示す図である。図示のように、マスクパターン６０２の濃い（黒い）領域は上方に寄っている。これにより、図９に示したマスクパターン６０１と比較した場合に、より高い領域がマスクされる。
【００６７】
なお、上記のように、マスクパターン６０２、６０３は、透過率のプロファイルが非対称になっている。これにより、ミニチュア効果をかけた対象画像では、被写体を見上げた（マスクパターン６０３の場合）、あるいは、見下ろした（マスクパターン６０２の場合）効果が得られる。
【００６８】
図１５は、縦長の対象画像４１５が主表示部１７２に表示される表示画像５０５を示す図である。対象画像（原画像）４１５が縦長であることは、撮像情報として記録される、対象画像４１５の撮像時における傾き検出部３２０の検出結果により判別される（カメラの撮影姿勢がいわゆる縦位置撮影姿勢である場合に、そのことが傾き検出部３２０の検出結果から判別できる）。
【００６９】
対象画像４１５が縦長である場合でも、領域指定枠５８２は、この縦長の画像４１５に対して水平方向（横方向）に長い帯状の領域を示す。縦位置撮影姿勢で撮影された画像には、既述したように縦位置撮影であることを示す情報が画像に付随して記録されているので、カメラはこの情報に基づいて、図１５に示すような配置で領域指定枠５８２を自動的に設定する。
【００７０】
図１６は、図１５に示した表示画像５０５に対応するマスクパターン６０４を示す図である。図示のように、マスクパターン６０４は、全体して縦長の矩形をなして、高さ方向の中央において、最も濃い（黒い）マスクを形成する。また、マスクパターン６０４は、上端および下端に向かって徐々に透過率が高くなるパターンを有する。このマスクパターン６０４を使って、図８にて既述した如きαブレンド処理を原画像を４１５として処理することにより、図１５に示した注目領域５８０の内側では空間周波数が殆ど低下せず、背景領域５９０で空間周波数が低下するミニチュア効果画像を出力できる。
【００７１】
ところで、領域指定枠５８２の位置の初期値を、単純に画像の中央、あるいは、画像の一端とした場合、領域指定枠５８２に包囲された領域が、注目領域５８０として適切な領域か否かは不明である。このため、ミニチュア効果が映える領域指定枠５８２の位置は、ユーザが自ら模索しなくてはならない。また、画像処理に不慣れなユーザの場合、注目領域５８０の位置を決定する判断基準がなく、領域指定枠５８２の位置をなかなか指定できない。
【００７２】
そこで、例えば、位置初期値生成部４７０は、処理対象画像において、空間周波数の変化が急峻な領域に、注目領域５８０および背景領域５９０の境界が位置するように、位置初期値を選択してもよい。これにより、領域指定枠５８２の最終的な指定位置に近い位置初期値を提供し得る。また、操作に習熟していないユーザは、領域指定枠５８２をデフォルトの位置においたまま画像処理しても、ある程度のミニチュア効果が得られるという利点がある。
【００７３】
なお、位相差検出型焦点検出部３１０は、画面上で指定されたある点における焦点のずれを検出して、合焦に要するレンズの駆動量を算出する。このため、対象画像全体の空間周波数分布を把握することはできない。しかしながら、コントラスト検出型焦点検出部３０９は、画像全体のコントラストを監視するので、空間周波数の分布を把握できる。検出した分布は撮像情報に格納できる。
【００７４】
図１７は、傾いた対象画像４１６を含む表示画像５０６を示す図である。図示のように、ユーザは、撮像装置１００が縦位置でも横位置でもない、傾いた状態で撮像する場合がある。そこで、主制御部３００に含まれる傾き検出部３２０の検出結果を、撮像画像に撮像情報の一部として記録して、画像処理に当たってこれを参照することにより、位置初期値生成部４７０は、処理画像内における水平方向に対して水平な帯状の領域指定枠５８２を生成する。これにより、ユーザが領域指定枠５８２を回転させる付加的な操作をすることなく、適切な向きの領域指定枠５８２が表示される。
【００７５】
図１８は、図１７に示す表示画像５０６に対応するマスクパターン６０５を示す図である。図示のように、マスクパターン６０５の略中央には、濃い（黒い）マスクパターンが、領域指定枠５８２と同じ傾斜で配される。このマスクパターン６０５を使って、図８にて既述した如きαブレンド処理を原画像を４１６として処理することにより、対象画像４１６には、その画像の傾きに関わらず最適な（その画像の水平度に応じた）ミニチュア効果を与えられる。
【００７６】
なお、入力受付部３９０に傾きを指定する情報がユーザに入力されることにより、帯状の領域指定枠５８２の画像中の傾きが任意に変更されてもよい。さらにまた、位置初期値生成部４７０が対象画像４１６の傾斜を検出して、領域指定枠５８２を傾けた初期値を生成するようにしてもよい。その場合に位置初期値生成部４７０は、対象画像４１６をハイパス処理してエッジを検出し、所定の長さの直線のエッジの有無を検知し、直線が検知された場合に当該直線を所定被写体（例えばビルや地平線など）により示される垂直または水平と認識し、上記初期値を生成する。これにより、ユーザの操作が一段階省かれるので、迅速に画像処理を開始できる。なお、位置初期値生成部４７０が領域指定枠５８２を自動的に傾けて表示した場合でも、ユーザは、領域指定枠５８２の傾きを更に変更できる。
【００７７】
図１９は、幅が変更された注目領域５８０を含む表示画像５０７を示す図である。例えば、ガイド５２４の表示に従って、撮像装置１００のダイヤルスイッチ１８０を操作することにより領域指定枠５８２の幅が変更される。図示の例では、ダイヤルスイッチ１８０の手前側縁部を左側に向かって移動させることにより、処理対象の画像に重なる領域指定枠５８２の幅が狭くなる。
【００７８】
図２０は、図１９に示す表示画像５０７に表示された領域指定枠５８２に対応するマスクパターン６０６を示す図である。マスクパターン６０６は、図９に示したマスクパターン６０１に比較すると、高さ方向の中央の濃いパターンの幅が顕著に狭い。これにより、対象画像４１４には、ミニチュア効果がより強く施される。
【００７９】
なお、ＯＫボタン１９５を押す前に、縮小表示ボタン１９７を押すことにより、そのときに表示されている領域指定枠５８２の指定に従って対象画像４１４にミニチュア効果を掛けた場合の画像をプレビューできる。これにより、領域指定枠５８２の幅を確定させる前に、その位置で得られる効果を確認できる。
【００８０】
図２１は、図１９に示す領域指定枠５８２に対応する他のマスクパターン６０７を示す図である。マスクパターン６０７も、中央の濃いパターンの幅（高さ）は、図２０に示したマスクパターン６０６と大きく変わらない。しかしながら、マスクパターン６０７の右側に示したプロファイルから判るように、マスクパターン６０７は、両端における透過率の変化が抑制されている。このようなプロファイルのマスクパターン６０７を用いて画像処理することにより、対象画像４１４に対して、より穏やかなミニチュア効果が得られる。
【００８１】
図２２は、幅が変更された注目領域５８０を含む表示画像５０８を示す図である。例えば、ガイド５２５の表示に従って、撮像装置１００のダイヤルスイッチ１８０を操作することにより領域指定枠５８２の幅が変更される。図示の例では、ダイヤルスイッチ１８０の手前側縁部を右側に向かって移動させることにより、処理対象の画像に重なる領域指定枠５８２の幅が広くなる。
【００８２】
図２３は、図２２に示す表示画像５０８に表示された領域指定枠５８２に対応するマスクパターン６０８を示す図である。マスクパターン６０８は、図９に示したマスクパターン６０１に比較すると、高さ方向中央の濃いパターンの幅が顕著に広い。これにより、対象画像４１４には、ミニチュア効果がより穏やかに施される。
【００８３】
図２４は、図２２に示す領域指定枠５８２に対応する他のマスクパターン６０９を示す図である。マスクパターン６０９も、中央の濃いパターンの幅（高さ）は、図２０に示したマスクパターン６０８と大きく変わらない。しかしながら、マスクパターン６０７の右側に示したプロファイルから判るように、マスクパターン６０７は、両端における透過率の変化が拡大している。このようなプロファイルのマスクパターン６０７を用いて画像処理することにより、対象画像４１４に対してやや強いミニチュア効果を与えることができる。
【００８４】
上記のようにして、ユーザは、領域指定枠５８２の幅（高さ）を変更できる。領域指定枠５８２の幅がユーザの希望する広さになった場合、ユーザは、撮像装置１００のＯＫボタン１９５を押して領域指定枠５８２の幅を確定できる。
【００８５】
なお、領域指定枠５８２の幅の初期値が一定である場合、領域指定枠５８２の幅初期値が注目領域５８０の幅として適切な広さか否かは相関が少ない。このため、ミニチュア効果が際立つ領域指定枠５８２の幅は、ユーザが自ら模索しなくてはならない。また、画像処理に不慣れなユーザの場合は、注目領域５８０の幅を決定することが難しい。
【００８６】
そこで、例えば、幅初期値生成部４８０は、処理対象画像の撮像情報から獲得した被写体までの距離を参照して、生成する初期値を変更してもよい。即ち、被写体までの距離が短いほど生成する幅の初期値を狭くして、被写体までの距離が長いほど生成する幅の初期値を広くするようにしてもよい。
【００８７】
これにより、求める領域指定枠５８２の指定幅に近い位置初期値を提供することができる。また、ユーザが画像処理になれていない場合も、デフォルトのままでも有効な画像処理ができる。
【００８８】
更に、マスクパターン６０６、６０７の選択、あるいは、マスクパターン６０８、６０９の選択に関しても、ミニチュア効果が際立つマスクパターン６０６、６０７、６０８、６０９をユーザが自ら模索しなくてはならない。また、画像処理に不慣れなユーザの場合は決定が難しい。従って、低下量初期値生成部４９０が、より蓋然性の高いマスクパターン６０６、６０７、６０８、６０９を当初から提示することが好ましい。
【００８９】
そこで、例えば、対象画像４１４の撮像情報から獲得した撮像光学系の焦点距離を参照して、焦点距離が短いほど低下量初期値生成部４９０が、空間周波数の変化量が大きいマスクパターン６０６、６０９を選択するようにしてもよい。また、画像処理の対象となる画像の撮像情報から獲得した撮像光学系の被写界深度を参照して、被写界深度が浅いほど、画像処理部における空間周波数の低下量がより大きいマスクパターン６０６、６０９を選択するようにしてもよい。
【００９０】
いずれの場合も、入力受付部３９０は、低下量初期値生成部４９０が提示したマスクパターン６０６、６０７を、他のものに変更することを受け付ける。これにより、最終的に、ユーザが求めるミニチュア効果を得ることができる。
【００９１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００９２】
１００  撮像装置、１０１  撮像システム、１３０  マウント、１６１  電源スイッチ、１６２  絞り部、１７２  主表示部、１８０  ダイヤルスイッチ、１９１  レリーズスイッチ、１９３  十字キー、１９５  ＯＫボタン、１９７  縮小表示ボタン、１９９  再生ボタン、２００  レンズユニット、２１０  レンズ鏡筒、２２０  絞り装置、２３０  撮像光学系、２３１、２３２、２３３  レンズ群、２４０  主鏡、２４２  副鏡、２５０  シャッタ、２７０  ペンタプリズム、２７２  フォーカシングスクリーン、２８０  イメージセンサ、２８２  光学フィルタ、２９０  接眼光学系、２９２  ハーフミラー、２９４  ファインダＬＣＤ、３００  主制御部、３０９  コントラスト検出型焦点検出部、３１０  位相差検出型焦点検出部、３２０  傾き検出部、３３０  測光部、３５０  レンズユニット通信回路、３６０  プロセッサ、３７２  垂直駆動回路、３７４  タイミング発生器、３７６  アナログ信号処理回路、３７８  アナログ／デジタル変換器、３８２  不揮発性記憶媒体、３８０  主記憶回路、３９０  入力受付部、４００  ＡＳＩＣ、４１０  バッファ、４１１  入力画像、４１２  処理画像、４１３  圧縮画像、４１４、４１５、４１６  対象画像、４２０  画像処理部、４３０  圧縮モジュール、４４０  書込／読出モジュール、４５０  αブレンドモジュール、４６０  ローパスモジュール、４７０  位置初期値生成部、４８０  幅初期値生成部、４９０  低下量初期値生成部、５０１、５０２、５０３、５０４、５０５、５０６、５０７、５０８  表示画像、５１１  スモールピクチャー、５１２  画像合成、５１３  ＲＡＷ現像、５１４  簡単レタッチ、５１５  ミニチュア効果、５１６  ハイライト枠、５２０、５２１、５２２、５２３、５２４、５２５  ガイド、５８０  注目領域、５８２  領域指定枠，５９０  背景領域、６０１、６０２、６０３、６０４、６０５、６０６、６０７、６０８、６０９  マスクパターン
【図１】
0005418020.tif 000002
【図２】
0005418020.tif 000003
【図３】
0005418020.tif 000004
【図４】
0005418020.tif 000005
【図５】
0005418020.tif 000006
【図６】
0005418020.tif 000007
【図７】
0005418020.tif 000008
【図８】
0005418020.tif 000009
【図９】
0005418020.tif 000010
【図１０】
0005418020.tif 000011
【図１１】
0005418020.tif 000012
【図１２】
0005418020.tif 000013
【図１３】
0005418020.tif 000014
【図１４】
0005418020.tif 000015
【図１５】
0005418020.tif 000016
【図１６】
0005418020.tif 000017
【図１７】
0005418020.tif 000018
【図１８】
0005418020.tif 000019
【図１９】
0005418020.tif 000020
【図２０】
0005418020.tif 000021
【図２１】
0005418020.tif 000022
【図２２】
0005418020.tif 000023
【図２３】
0005418020.tif 000024
【図２４】
0005418020.tif 000025